(57)【要約】【課題】双方向通信が続行される確率を高めるに際して、無駄をなくすることが可能な通信端末装置を提供すること。【解決手段】電子キー２は、ＷＡＫＥ信号を受信したとき、そのＷＡＫＥ信号に対する応答信号であるＡＣＫ信号を送信するとともに、そのＡＣＫ信号が最初のＡＣＫ信号であるとき、その最初のＡＣＫ信号を基準出力レベルで送信する。そして、電子キー２は、最初のＡＣＫ信号を送信した後、ＷＡＫＥ信号を受信したとき、基準出力レベルよりも高い出力レベルでＡＣＫ信号を送信する。【選択図】図３
2008144517.tif 000002
【特許請求の範囲】
【請求項１】
当該通信端末装置との間での双方向通信が成立したものと肯定判断するまで繰り返し第１の信号を送信するとともに、その第１の信号に対する応答信号である第２の信号を受信したとき、当該通信端末装置との間での双方向通信が成立したものと肯定判断する外部通信端末装置との間での双方向通信が可能な通信端末装置において、
第１の信号を受信したとき、その第１の信号に対する応答信号である第２の信号を送信するとともに、その第２の信号が最初の第２の信号であるとき、その最初の第２の信号を基準出力レベルで送信し、
最初の第２の信号を送信した後、第１の信号を受信したとき、基準出力レベルよりも高い出力レベルで第２の信号を送信することを特徴とする通信端末装置。
【請求項２】
請求項１に記載の通信端末装置において、
前記基準出力レベルよりも高い出力レベルで第２の信号を送信する回数の上限を高出力送信上限回数と規定するとともに、前記基準出力レベルよりも高い出力レベルで第２の信号を送信した回数が前記高出力送信上限回数に達するまでの期間内に第１の信号を受信したとき、前記基準出力レベルよりも高いレベルで第２の信号を送信し、
前記基準出力レベルよりも高い出力レベルで第２の信号を送信した回数が前記高出力送信上限回数に達した後の段階で第１の信号を受信したとき、前記基準出力レベルで第２の信号を送信することを特徴とする通信端末装置。
【請求項３】
請求項１に記載の通信端末装置において、
最初の第２の信号を送信してから所定の時間が経過するまでの期間を高出力送信実行期間と規定するとともに、前記高出力送信実行期間内に第１の信号を受信したとき、前記基準出力レベルよりも高いレベルで第２の信号を送信し、
前記高出力送信実行期間が過ぎた段階で第１の信号を受信したとき、前記基準出力レベルで第２の信号を送信することを特徴とする通信端末装置。
【請求項４】
請求項１〜請求項３のいずれか１項に記載の通信端末装置において、
前記基準出力レベルよりも高い出力レベルであって、第２の信号を送信するに際して許される最大の出力レベルを許容最大出力レベルと規定するとともに、前記基準出力レベルよりも高い出力レベルであって、前記基準出力レベルと前記許容最大出力レベルとの間に属する出力レベルを低いものから高いものへ順に向かうように段階的に設定し、
最初の第２の信号を送信した後、第１の信号を受信したとき、段階的に設定した出力レベルのうち最も低いものを２回目の第２の信号の出力レベルとして選択してその出力レベルで２回目の第２の信号を送信し、
２回目の第２の信号を送信した後、第１の信号を受信する度に、前回の第２の信号の出力レベルよりも１つ上位の段階のものを選択してその出力レベルで３回目以降の第２の信号を送信し、
第２の信号を送信することと第１の信号を受信することとを繰り返した結果、段階的に設定した出力レベルのうち最上位の段階のものを選択してその出力レベルで第２の信号を送信した後、第１の信号を受信したとき、前記基準出力レベルで第２の信号を送信することを特徴とする通信端末装置。
【請求項５】
請求項１〜請求項３のいずれか１項に記載の通信端末装置において、
前記基準出力レベルよりも高い出力レベルであって、第２の信号を送信するに際して許される最大の出力レベルを許容最大出力レベルと規定するとともに、最初の第２の信号を送信した後、第１の信号を受信したとき、前記許容最大出力レベルで第２の信号を送信し、
前記許容最大出力レベルで第２の信号を送信した後、第１の信号を受信したとき、前記基準出力レベルで第２の信号を送信することを特徴とする通信端末装置。
【請求項６】
請求項１〜請求項５のいずれか１項に記載の通信端末装置において、
第２の信号に対する応答信号である第３の信号を受信したとき、その第３の信号に対する応答信号である第４の信号を送信するとともに、同第４の信号を送信するに際して、第３の信号を受信する直前に送信した第２の信号の出力レベルと同等以上の出力レベルで第４の信号を送信することを特徴とする通信端末装置。
【発明の詳細な説明】
【技術分野】
【０００１】
本発明は、外部通信端末装置との間での双方向通信が可能な通信端末装置に関する。
【背景技術】
【０００２】
特許文献１には、ユーザが所持する携帯機と車両側のセキュリティ装置との間での双方向通信が可能な電子キーシステムに関する技術が開示されている。そして、この電子キーシステムでは、車両側からリクエスト信号が送信されるとともに、それが携帯機で受信されたとき、同携帯機からリクエスト信号に対する応答信号（ＩＤコード信号）が送信され、それに基準ＩＤコードと一致するＩＤコードが含まれているとき、ドアのロックやエンジンの始動禁止が解除されるようになっている。
【０００３】
そして、特許文献１に開示されている電子キーシステムでは、車両側のセキュリティ装置からリクエスト信号が送信されるも、そのリクエスト信号に対する応答信号（ＩＤコード信号）が車両側のセキュリティ装置で受信されない場合、車両側のセキュリティ装置は、携帯機がリクエスト信号を受信できない状況下に置かれているものと判断するとともに、この場合、リクエスト信号の強度を増すようにしている。従って、このような構成によれば、携帯機がバッグの中にしまわれていたり、或いは座席シートの下に落ちていたりするような場合でも、その携帯機によりリクエスト信号が受信され易くなり、よって携帯機からＩＤコード信号が送信されるとともに、それが車両側のセキュリティ装置で受信されるようになる。
【特許文献１】特開平１１−１０１０３３号公報（段落番号０００７、０００８）
【発明の開示】
【発明が解決しようとする課題】
【０００４】
リクエスト信号に対する応答信号（ＩＤコード信号）が車両側のセキュリティ装置で受信されないことの原因を考えたとき、第１の原因として、携帯機がリクエスト信号を受信できない状況下に置かれており、よってリクエスト信号を受信できていない携帯機からはＩＤコード信号が送信されず、結果としてＩＤコード信号が車両側のセキュリティ装置で受信されないことが考えられる。そして、このような場合には、特許文献１の電子キーシステムのように、リクエスト信号の強度を増せば、それが携帯機で受信され易くなり、よって携帯機からＩＤコード信号が送信されるとともに、それが車両側のセキュリティ装置で受信されるようになるから、双方向通信が途絶えるようなことがない。
【０００５】
しかしながら、第２の原因として、携帯機でリクエスト信号が受信されて同携帯機からＩＤコード信号が送信されるも、それが車両側のセキュリティ装置に達する前にノイズにより妨害され、結果としてＩＤコード信号が車両側のセキュリティ装置で受信されないことが考えられる。そして、このような場合には、特許文献１の電子キーシステムのように、リクエスト信号の強度を増したとしても、それが携帯機で受信されて同携帯機からＩＤコード信号が送信されるといった同じことが繰り返されるに過ぎず、これが再びノイズにより妨害されれば、またしてもＩＤコード信号が車両側のセキュリティ装置で受信されないことになる。
【０００６】
つまり、携帯機からのＩＤコード信号が車両側のセキュリティ装置に達する前にノイズにより妨害されるような場合を想定したとき、特許文献１の電子キーシステムのように、リクエスト信号の強度を増したとしても、ＩＤコード信号が車両側のセキュリティ装置で受信されないことに変わりはなく、双方向通信が途絶えてしまうといった不具合を解消できるには至らない。むしろ、特許文献１の電子キーシステムでは、リクエスト信号が携帯機で受信できている場合でも、リクエスト信号が携帯機で受信できていない場合と同様に、リクエスト信号の強度を増しているといった無駄が生じている。
【０００７】
本発明は、このような問題点に着目してなされたものであって、その目的は、双方向通信が続行される確率を高めるに際して、無駄をなくすることが可能な通信端末装置を提供することにある。
【課題を解決するための手段】
【０００８】
上記の目的を達成するために、請求項１に記載の発明は、当該通信端末装置との間での双方向通信が成立したものと肯定判断するまで繰り返し第１の信号を送信するとともに、その第１の信号に対する応答信号である第２の信号を受信したとき、当該通信端末装置との間での双方向通信が成立したものと肯定判断する外部通信端末装置との間での双方向通信が可能な通信端末装置において、第１の信号を受信したとき、その第１の信号に対する応答信号である第２の信号を送信するとともに、その第２の信号が最初の第２の信号であるとき、その最初の第２の信号を基準出力レベルで送信し、最初の第２の信号を送信した後、第１の信号を受信したとき、基準出力レベルよりも高い出力レベルで第２の信号を送信することをその要旨としている。
【０００９】
同構成によると、通信端末装置と外部通信端末装置との間での双方向通信が行われるに際して、まず外部通信端末装置から第１の信号が送信されるとともに、それが通信端末装置で受信されたとき、同通信端末装置から第１の信号に対する応答信号である第２の信号が送信される。そして、この第２の信号が外部通信端末装置で受信されたとき、同外部通信端末装置により、通信端末装置と外部通信端末装置との間での双方向通信が成立したものと肯定判断される。尚、外部通信端末装置は、第１の信号を送信したにも拘わらず、それに対する応答信号である第２の信号を受信できないとき、再び第１の信号を送信する。つまり、外部通信端末装置は、第２の信号を受信するまで繰り返し第１の信号を送信する。
【００１０】
ここで、通信端末装置から第２の信号が送信された後、第１の信号が通信端末装置で受信されたということは、実際には第１の信号が通信端末装置で受信されて同通信端末装置から第２の信号が送信された状況にあるにも拘わらず、そのことが外部通信端末装置で未だ肯定判断されていないことの表れである。例えば、第２の信号が外部通信端末装置に達する前にノイズにより妨害されるような場合がこれに該当する。そこで、本構成にあって通信端末装置は、このようなとき、第２の信号の出力レベルを上げてそれを送信することで、第２の信号がノイズの影響を受けようともそれに打ち勝つことができるようにするとともに、それにより第２の信号が外部通信端末装置で受信されるようになる確率を高めている。従って、双方向通信が途絶えてしまう確率を低減できるから、双方向通信が続行される確率を高めることができる。
【００１１】
特に、本構成では、自装置（通信端末装置）が第２の信号を送信したにも拘わらず、それが相手装置（外部通信端末装置）で受信されていないことを裏付ける事実、つまり第２の信号が相手装置（外部通信端末装置）で受信されていれば送信されてくる筈のない信号（第１の信号）を受信したことを根拠として、第２の信号の出力レベルを上げるようにしている。従って、第２の信号の出力レベルを上げるべき時期を見計らった上でそれを実行しているのであるから、無駄をなくすることができる。
【００１２】
このように本構成によれば、双方向通信が続行される確率を高めるに際して、無駄をなくすることができる。
請求項２に記載の発明は、請求項１に記載の通信端末装置において、前記基準出力レベルよりも高い出力レベルで第２の信号を送信する回数の上限を高出力送信上限回数と規定するとともに、前記基準出力レベルよりも高い出力レベルで第２の信号を送信した回数が前記高出力送信上限回数に達するまでの期間内に第１の信号を受信したとき、前記基準出力レベルよりも高いレベルで第２の信号を送信し、前記基準出力レベルよりも高い出力レベルで第２の信号を送信した回数が前記高出力送信上限回数に達した後の段階で第１の信号を受信したとき、前記基準出力レベルで第２の信号を送信することをその要旨としている。
【００１３】
同構成によると、第２の信号が外部通信端末装置で受信されていないことを裏付ける事実があるからと言って、回数に上限を設けることなく、第１の信号を受信する度に、出力レベルの高い第２の信号を送信するとなると、それに必要な消費電力が増大するから、通信端末装置は、それを防止するようにしている。即ち、通信端末装置は、出力レベルの高い第２の信号を送信する回数に上限を設けるとともに、その上限に達した後の段階で第１の信号を受信したとき、第２の信号の出力レベルを基準出力レベルに戻してその出力レベルで第２の信号を送信するようにしている。従って、必要以上に多くの回数に亘って高い出力レベルで第２の信号が送信されることによる電力の浪費を防止できる。
【００１４】
請求項３に記載の発明は、請求項１に記載の通信端末装置において、最初の第２の信号を送信してから所定の時間が経過するまでの期間を高出力送信実行期間と規定するとともに、前記高出力送信実行期間内に第１の信号を受信したとき、前記基準出力レベルよりも高いレベルで第２の信号を送信し、前記高出力送信実行期間が過ぎた段階で第１の信号を受信したとき、前記基準出力レベルで第２の信号を送信することをその要旨としている。
【００１５】
同構成によると、第２の信号が外部通信端末装置で受信されていないことを裏付ける事実があるからと言って、時間に上限を設けることなく、第１の信号を受信する度に、出力レベルの高い第２の信号を送信するとなると、それに必要な消費電力が増大するから、通信端末装置は、それを防止するようにしている。即ち、通信端末装置は、出力レベルの高い第２の信号を送信する時間に上限を設けるとともに、その上限に達した後の段階で第１の信号を受信したとき、第２の信号の出力レベルを基準出力レベルに戻してその出力レベルで第２の信号を送信するようにしている。従って、必要以上に長い時間に亘って高い出力レベルで第２の信号が送信されることによる電力の浪費を防止できる。
【００１６】
請求項４に記載の発明は、請求項１〜請求項３のいずれか１項に記載の通信端末装置において、前記基準出力レベルよりも高い出力レベルであって、第２の信号を送信するに際して許される最大の出力レベルを許容最大出力レベルと規定するとともに、前記基準出力レベルよりも高い出力レベルであって、前記基準出力レベルと前記許容最大出力レベルとの間に属する出力レベルを低いものから高いものへ順に向かうように段階的に設定し、最初の第２の信号を送信した後、第１の信号を受信したとき、段階的に設定した出力レベルのうち最も低いものを２回目の第２の信号の出力レベルとして選択してその出力レベルで２回目の第２の信号を送信し、２回目の第２の信号を送信した後、第１の信号を受信する度に、前回の第２の信号の出力レベルよりも１つ上位の段階のものを選択してその出力レベルで３回目以降の第２の信号を送信し、第２の信号を送信することと第１の信号を受信することとを繰り返した結果、段階的に設定した出力レベルのうち最上位の段階のものを選択してその出力レベルで第２の信号を送信した後、第１の信号を受信したとき、前記基準出力レベルで第２の信号を送信することをその要旨としている。
【００１７】
同構成によると、通信端末装置は、最初の第２の信号を送信した後、第１の信号を受信したとき、それに対する応答信号として、基準出力レベルよりも高い出力レベルの第２の信号（２回目の第２の信号）を送信する。そして、この２回目の第２の信号を送信した後、第１の信号を受信したとき、それに対する応答信号として、２回目の第２の信号の出力レベルよりもさらに高い出力レベルの第２の信号（３回目の第２の信号）を送信する。この例のように、いわば段階的に第２の信号の出力レベルを上げてゆくことで、ノイズレベルに応じた出力レベル、つまりノイズに打ち勝つに事足りるが高過ぎない出力レベルの第２の信号がやがて外部通信端末装置で受信されるようになる。
【００１８】
また、段階的に設定した出力レベルのうち最上位の段階の出力レベルで第２の信号を送信するも、第１の信号を受信した場合、もはやそれを超える出力レベルで第２の信号を送信することができず、よってこの場合、第２の信号の出力レベルを基準出力レベルに戻してその出力レベルで第２の信号を送信するようにしている。
【００１９】
従って、必要以上に高い出力レベルで第２の信号が送信されることによる電力の浪費を防止できる。尚、許容最大出力レベルは、例えば電波法等の法規に依存することとなる。
請求項５に記載の発明は、請求項１〜請求項３のいずれか１項に記載の通信端末装置において、前記基準出力レベルよりも高い出力レベルであって、第２の信号を送信するに際して許される最大の出力レベルを許容最大出力レベルと規定するとともに、最初の第２の信号を送信した後、第１の信号を受信したとき、前記許容最大出力レベルで第２の信号を送信し、前記許容最大出力レベルで第２の信号を送信した後、第１の信号を受信したとき、前記基準出力レベルで第２の信号を送信することをその要旨としている。
【００２０】
同構成によると、最初の第２の信号を送信するも第１の信号を受信したということは、第２の信号が外部通信端末装置で受信されていないことに他ならないから、通信端末装置は、そのような事実を根拠として、許容最大出力レベルで第２の信号を送信するようにし、つまりはノイズに打ち勝つに事足りるであろう出力レベルの第２の信号を早い段階で送信するようにしている。従って、双方向通信が続行される確率が高まる状況をいち早く作り出すことができる。
【００２１】
また、許容最大出力レベルで第２の信号を送信するも、第１の信号を受信した場合、もはやそれを超える出力レベルで第２の信号を送信することができず、よってこの場合、第２の信号の出力レベルを基準出力レベルに戻してその出力レベルで第２の信号を送信するようにしている。従って、無意味とは言わないまでも許容最大出力レベルで第２の信号が送信され続けられることによる電力の浪費を防止できる。尚、許容最大出力レベルは、例えば電波法等の法規に依存することとなる。
【００２２】
請求項６に記載の発明は、請求項１〜請求項５のいずれか１項に記載の通信端末装置において、第２の信号に対する応答信号である第３の信号を受信したとき、その第３の信号に対する応答信号である第４の信号を送信するとともに、同第４の信号を送信するに際して、第３の信号を受信する直前に送信した第２の信号の出力レベルと同等以上の出力レベルで第４の信号を送信することをその要旨としている。
【００２３】
同構成によると、通信端末装置と外部通信端末装置との間での双方向通信が行われるに際して、第１の信号及び第２の信号のやりとりが完了されると、外部通信端末装置から第３の信号が送信されるとともに、それが通信端末装置で受信されたとき、同通信端末装置から第３の信号に対する応答信号である第４の信号が送信される。このとき、通信端末装置は、第３の信号を受信する直前に送信した第２の信号の出力レベルと同等以上の出力レベルで第４の信号を送信することとしている。ここに、第３の信号が送信されてきたということは、第２の信号が外部通信端末装置で受信されたことの証であるから、この第２の信号の出力レベルと同等以上の出力レベルで第４の信号を送信すれば、それが仮にノイズの影響を受けようとも、同第４の信号は外部通信端末装置で受信される筈である。要は、双方向通信が続行される確率を高めることができる。
【００２４】
尚、本構成を採用するに際して、第３の信号を受信する直前に送信した第２の信号の出力レベルと同じ出力レベルで第４の信号を送信する構成を採用したとき、前記第２の信号の出力レベルと同等以上の出力レベルのうち、最も低い出力レベルで第４の信号が出力されるから、この場合、消費電力を抑制できる。
【発明の効果】
【００２５】
本発明は、以上のように構成されているため、次のような効果を奏する。
本発明によれば、双方向通信が続行される確率を高めるに際して、無駄をなくすることができる。
【発明を実施するための最良の形態】
【００２６】
以下、本発明を具体化した一実施形態を説明する。
図１に示すように、本実施形態の自動車には、電子キーシステム１が適用されている。電子キーシステム１は、車両ユーザが所持する電子キー２と、車両側に設けられるセキュリティ装置３とを備えるとともに、電子キー２とセキュリティ装置３との間での双方向通信が可能である。尚、前記電子キー２は、その所持態様から携帯機と称されている。
【００２７】
電子キー２は、無線通信による受信機能及び無線通信による送信機能を有するとともに、受信アンテナ２１、受信回路２２、マイコン２３、送信回路２４、送信アンテナ２５を備えている。尚、電子キー２は、通信端末装置に相当する。
【００２８】
受信アンテナ２１は、セキュリティ装置３から送信されてくる信号（ＷＡＫＥ信号やリクエスト信号）を受信するための媒体である。受信回路２２は、受信アンテナ２１により受信された信号（ＷＡＫＥ信号やリクエスト信号）を復調して受信信号を生成するとともに、その受信信号をマイコン２３に出力する。
【００２９】
マイコン２３は、不揮発性のメモリ２３ａを備えるとともに、そのメモリ２３ａには、電子キー２毎に個別に設定されたＩＤコード（電子キー２のＩＤコード）が記憶されている。マイコン２３は、受信回路２２からＷＡＫＥ信号に関する受信信号が入力されたとき、ＷＡＫＥ信号に対する応答信号であるＡＣＫ信号を生成するとともに、そのＡＣＫ信号を送信回路２４に出力する。また、マイコン２３は、受信回路２２からリクエスト信号に関する受信信号が入力されたとき、リクエスト信号に応答するために、電子キー２のＩＤコードを含む信号（ＩＤコード信号）を生成するとともに、そのＩＤコード信号を送信回路２４に出力する。
【００３０】
送信回路２４は、マイコン２３から入力された信号（ＡＣＫ信号やＩＤコード信号）を所定周波数（本実施形態では３００ＭＨｚ）の電波に変調する。送信アンテナ２５は、送信回路２４により変調された信号（ＡＣＫ信号やＩＤコード信号）を送信するための媒体である。
【００３１】
セキュリティ装置３は、無線通信による送信機能及び無線通信による受信機能を有するとともに、送信回路３１、送信アンテナ３２、受信アンテナ３３、受信回路３４、照合装置３５を備えている。尚、セキュリティ装置３は、外部通信端末装置に相当する。
【００３２】
送信回路３１は、照合装置３５から入力される信号（ＷＡＫＥ信号やリクエスト信号）を所定周波数（本実施形態では１３４ＫＨｚ）の電波に変調する。送信アンテナ３２は、送信回路３１により変調された信号（ＷＡＫＥ信号やリクエスト信号）を送信するための媒体である。
【００３３】
ここで、送信アンテナ３２からの信号（ＷＡＫＥ信号やリクエスト信号）は、車外においてドアアウトサイドハンドルを中心とした半径約１ｍの領域内に及ぶように送信される。図２には、その領域が車外の所定領域Ａ３２として２点鎖線で示されている。そして、この車外の所定領域Ａ３２内において、電子キー２とセキュリティ装置３との間での双方向通信が可能となっている。
【００３４】
つまり、車外の所定領域Ａ３２内にＷＡＫＥ信号が送信されている状態で、その車外の所定領域Ａ３２内に電子キー２が持ち込まれたとき、電子キー２によりＷＡＫＥ信号が受信されて同電子キー２からＡＣＫ信号が送信されるようになっている。また、車外の所定領域Ａ３２内にリクエスト信号が送信されている状態で、その車外の所定領域Ａ３２内に電子キー２が持ち込まれたとき、電子キー２によりリクエスト信号が受信されて同電子キー２からＩＤコード信号が送信されるようになっている。
【００３５】
図１に戻って、受信アンテナ３３は、ＷＡＫＥ信号に対する応答信号として電子キー２から送信されてくるＡＣＫ信号や、リクエスト信号に対する応答信号として電子キー２から送信されてくるＩＤコード信号を受信するための媒体である。受信回路３４は、受信アンテナ３３により受信された信号（ＡＣＫ信号やＩＤコード信号）を復調して受信信号を生成するとともに、その受信信号を照合装置３５に出力する。
【００３６】
照合装置３５は、不揮発性のメモリ３５ａを備えるとともに、そのメモリ３５ａには、セキュリティ装置３が搭載されている自動車に適合する電子キー２（＝正規の電子キー２）のＩＤコードと同一のＩＤコード（基準ＩＤコード）が記憶されている。照合装置３５は、セキュリティ装置３との間での双方向通信の対象となる電子キー（これは正規の電子キー２とは限らない。）が車外の所定領域Ａ３２内に存在しているかどうかを監視するため、ドアがロックされている状態において、送信回路３１にＷＡＫＥ信号を出力する。つまり、この場合、照合装置３５は、通信対象キー存在有無監視制御を実行する。その結果、送信アンテナ３２からＷＡＫＥ信号が送信される。
【００３７】
照合装置３５は、通信対象キー存在有無監視制御を実行したことに伴って、受信回路３４からＡＣＫ信号に関する受信信号が入力されたとき、セキュリティ装置３との間での双方向通信の対象となる電子キー（これは正規の電子キー２とは限らない。）が車外の所定領域Ａ３２内に存在している旨を認識する。別の言い方をすると、照合装置３５は、受信回路３４からＡＣＫ信号に関する受信信号が入力されたとき、電子キー（これは正規の電子キー２とは限らない。）との間での双方向通信が成立したものと肯定判断する。尚、ＷＡＫＥ信号は、電子キー（これは正規の電子キー２とは限らない。）とセキュリティ装置３との間での双方向通信を確立するためのトリガ信号に相当する。
【００３８】
そして、照合装置３５は、上記のように受信回路３４からＡＣＫ信号に関する受信信号が入力されたとき、車外の所定領域Ａ３２内に存在している電子キーが正規の電子キー２であるか否かを調べるため、その電子キーに対して自キーのＩＤコードを送信するよう要求する信号、つまりリクエスト信号を送信回路３１に出力する。つまり、この場合、照合装置３５は、ＩＤコード要求制御を実行する。その結果、送信アンテナ３２からリクエスト信号が送信される。
【００３９】
照合装置３５は、ＩＤコード要求制御を実行したことに伴って、受信回路３４からＩＤコード信号に関する受信信号が入力されたとき、その受信信号に含まれているＩＤコードと基準ＩＤコードとが一致しているか否かを判断する。つまり、この場合、照合装置３５は、ＩＤコード照合を実行する。そして、照合装置３５は、ＩＤコード照合により両ＩＤコードが一致したとき、正規の電子キー２が利用された旨を認識するとともに、この場合、電子キー２の所持者による乗車を許容するために、ドア制御装置４０にドアアンロック許可信号を出力する。その結果、このようにドアのアンロック（解錠）が許可されている状態で電子キー２の所持者がドアアウトサイドハンドルに触れると、ドア制御装置４０によりドアがアンロック（解錠）されるとともに、これにより電子キー２の所持者による乗車が許容されることとなる。
【００４０】
ところで、照合装置３５は、ＷＡＫＥ信号の送信に関する前記通信対象キー存在有無監視制御を実行してから所定の待機期間（本実施形態では約０．３秒間）が経過しても、それに対する応答信号であるＡＣＫ信号に関する受信信号が受信回路３４から入力されないとき、再びＷＡＫＥ信号を送信回路３１に出力する。つまり、照合装置３５は、受信回路３４からＡＣＫ信号に関する受信信号が入力されるまで繰り返しＷＡＫＥ信号を出力する。別の言い方をすると、照合装置３５は、電子キー（これは正規の電子キー２とは限らない。）との間での双方向通信が成立したものと肯定判断するまで繰り返しＷＡＫＥ信号を出力する。
【００４１】
尚、本実施形態においてセキュリティ装置３から送信されるＷＡＫＥ信号は、第１の信号に相当するとともに、そのＷＡＫＥ信号に対する応答信号として電子キー２から送信されるＡＣＫ信号は、第２の信号に相当する。また、前記ＡＣＫ信号に対する応答信号としてセキュリティ装置３から送信されるリクエスト信号は、第３の信号に相当するとともに、そのリクエスト信号に対する応答信号として電子キー２から送信されるＩＤコード信号は、第４の信号に相当する。
【００４２】
次に、電子キーシステム１の作用について説明する。尚、ここでは、本実施形態の特徴点を理解し易くするため、本実施形態の構成を採用しない場合の動作を図３（ａ）に示すとともに、本実施形態の構成を採用した場合の動作を図３（ｂ）に示し、それらを比較するようにした。
【００４３】
まず、本実施形態の構成を採用しない場合の動作を図３（ａ）を用いて説明する。
電子キー２とセキュリティ装置３との間での双方向通信が行われるに際して、まずセキュリティ装置３からＷＡＫＥ信号が送信されるとともに、それが電子キー２で受信されたとき、同電子キー２からＷＡＫＥ信号に対する応答信号であるＡＣＫ信号（＝最初のＡＣＫ信号）が送信される。尚、この最初のＡＣＫ信号は、基準出力レベルで送信される。
【００４４】
そして、この最初のＡＣＫ信号がセキュリティ装置３に達する前にノイズにより妨害されたとき、セキュリティ装置３は、この最初のＡＣＫ信号を受信できないことになる。従って、この場合、セキュリティ装置３からＡＣＫ信号に対する応答信号であるリクエスト信号は送信されないから、電子キー２でリクエスト信号が受信されないこととなる。
【００４５】
こうしたときセキュリティ装置３は、つまりＡＣＫ信号を受信していないセキュリティ装置３は、電子キー２との間での双方向通信が成立したものと肯定判断していない訳であるから、再びＷＡＫＥ信号を送信する。そして、このＷＡＫＥ信号が電子キー２で受信されたとき、同電子キー２からＷＡＫＥ信号に対する応答信号であるＡＣＫ信号（＝２回目のＡＣＫ信号）が送信される。尚、この２回目のＡＣＫ信号は、最初のＡＣＫ信号と同じ出力レベル、つまり基準出力レベルで送信される。
【００４６】
そして、依然としてノイズが発生している状況が続いているとなると、この２回目のＡＣＫ信号がセキュリティ装置３に達する前に該ノイズにより妨害されたとき、セキュリティ装置３は、またしてもＡＣＫ信号（＝２回目のＡＣＫ信号）を受信できないことになる。従って、この場合にも、セキュリティ装置３からＡＣＫ信号に対する応答信号であるリクエスト信号は送信されないから、電子キー２でリクエスト信号が受信されないこととなる。
【００４７】
こうしたときセキュリティ装置３は、つまりＡＣＫ信号を受信していないセキュリティ装置３は、電子キー２との間での双方向通信が成立したものと未だ肯定判断していない訳であるから、再びＷＡＫＥ信号を送信する。そして、このＷＡＫＥ信号が電子キー２で受信されたとき、同電子キー２からＷＡＫＥ信号に対する応答信号であるＡＣＫ信号（＝３回目のＡＣＫ信号）が送信される。尚、この３回目のＡＣＫ信号は、最初のＡＣＫ信号や２回目のＡＣＫ信号と同じ出力レベル、つまり基準出力レベルで送信される。
【００４８】
そして、依然としてノイズが発生している状況が続いているとなると、この３回目のＡＣＫ信号がセキュリティ装置３に達する前に該ノイズにより妨害されたとき、セキュリティ装置３は、またしてもＡＣＫ信号（＝３回目のＡＣＫ信号）を受信できないことになる。従って、この場合にも、セキュリティ装置３からＡＣＫ信号に対する応答信号であるリクエスト信号は送信されないから、電子キー２でリクエスト信号が受信されないこととなる。
【００４９】
その結果、このように基準出力レベルのＡＣＫ信号を妨害するようなノイズが発生している状況下に電子キー２やセキュリティ装置３が置かれ続けられているとき、セキュリティ装置３は、いつまで経っても、電子キー２との間での双方向通信が成立したものと肯定判断できないことになるから、この場合、通信不成立となってしまう。
【００５０】
次いで、本実施形態の構成を採用した場合の動作を図３（ｂ）を用いて説明する。
電子キー２とセキュリティ装置３との間での双方向通信が行われるに際して、まずセキュリティ装置３からＷＡＫＥ信号が送信されるとともに、それが電子キー２で受信されたとき、同電子キー２からＷＡＫＥ信号に対する応答信号であるＡＣＫ信号（＝最初のＡＣＫ信号）が送信される。尚、この最初のＡＣＫ信号は、基準出力レベルで送信される。
【００５１】
そして、この最初のＡＣＫ信号がセキュリティ装置３に達する前にノイズにより妨害されたとき、セキュリティ装置３は、この最初のＡＣＫ信号を受信できないことになる。従って、この場合、セキュリティ装置３からＡＣＫ信号に対する応答信号であるリクエスト信号は送信されないから、電子キー２でリクエスト信号が受信されないこととなる。
【００５２】
こうしたときセキュリティ装置３は、つまりＡＣＫ信号を受信していないセキュリティ装置３は、電子キー２との間での双方向通信が成立したものと肯定判断していない訳であるから、再びＷＡＫＥ信号を送信する。そして、このＷＡＫＥ信号が電子キー２で受信されたとき、同電子キー２からＷＡＫＥ信号に対する応答信号であるＡＣＫ信号（＝２回目のＡＣＫ信号）が送信されるのであるが、ここに本実施形態にあってこの２回目のＡＣＫ信号は、最初のＡＣＫ信号と同じ出力レベル（＝基準出力レベル）ではなく、それよりも高い出力レベルで送信される。つまり、本実施形態において電子キー２は、最初のＡＣＫ信号を送信した後、ＷＡＫＥ信号を受信したとき、基準出力レベルよりも高い出力レベルでＡＣＫ信号を送信する（＝本実施形態の特徴点１）。
【００５３】
そして、依然としてノイズが発生している状況が続いているとなると、この２回目のＡＣＫ信号がセキュリティ装置３に達する前に該ノイズにより影響を受けるのであるが、ここに本実施形態にあってこの２回目のＡＣＫ信号は、出力レベルが高められていることから、ノイズに打ち勝つこととなり、よってこの２回目のＡＣＫ信号は、セキュリティ装置３で受信されるようになる（＝上記特徴点１による効果）。従って、この場合、セキュリティ装置３は、電子キー２との間での双方向通信が成立したものと肯定判断することとなり、よってセキュリティ装置３は、ＡＣＫ信号に対する応答信号であるリクエスト信号を送信する。
【００５４】
そして、このリクエスト信号が電子キー２で受信されたとき、同電子キー２からリクエスト信号に対する応答信号であるＩＤコード信号が送信されるのであるが、ここに本実施形態にあってこのＩＤコード信号は、リクエスト信号を受信する直前に送信したＡＣＫ信号（この場合、２回目のＡＣＫ信号）の出力レベルと同じ出力レベルで送信される。つまり、本実施形態において電子キー２は、ＡＣＫ信号に対する応答信号であるリクエスト信号を受信したとき、そのリクエスト信号に対する応答信号であるＩＤコード信号を送信するとともに、同ＩＤコード信号を送信するに際して、リクエスト信号を受信する直前に送信したＡＣＫ信号の出力レベルと同じ出力レベルでＩＤコード信号を送信する（＝本実施形態の特徴点２）。
【００５５】
そして、依然としてノイズが発生している状況が続いているとなると、このＩＤコード信号がセキュリティ装置３に達する前に該ノイズにより影響を受けるのであるが、ここに本実施形態にあってこのＩＤコード信号は、予め出力レベルが高められていることから、ノイズに打ち勝つこととなり、よってこのＩＤコード信号は、セキュリティ装置３で受信されるようになる（＝上記特徴点２による効果）。
【００５６】
その結果、このように基準出力レベルのＡＣＫ信号やＩＤコード信号を妨害するようなノイズが発生している状況下に電子キー２やセキュリティ装置３が置かれ続けられていようとも、本実施形態では、電子キー２からの信号（ＡＣＫ信号やＩＤコード信号）の出力レベルが高められてそれが送信されるようになっているので、双方向通信が続行されることとなる。つまり、本実施形態の構成を採用した場合、それを採用しない場合とは異なり、通信を成立させることができるのである。
【００５７】
以上、詳述したように本実施形態によれば、次のような作用、効果を得ることができる。
（１）電子キー２からＡＣＫ信号が送信された後、ＷＡＫＥ信号が電子キー２で受信されたということは、実際にはＷＡＫＥ信号が電子キー２で受信されて同電子キー２からＡＣＫ信号が送信された状況にあるにも拘わらず、そのことがセキュリティ装置３で未だ肯定判断されていないことの表れである。例えば、ＡＣＫ信号がセキュリティ装置３に達する前にノイズにより妨害されるような場合がこれに該当する。そこで、本実施形態にあって電子キー２は、このようなとき、ＡＣＫ信号の出力レベルを上げてそれを送信することで、ＡＣＫ信号がノイズの影響を受けようともそれに打ち勝つことができるようにするとともに、それによりＡＣＫ信号がセキュリティ装置３で受信されるようになる確率を高めている。従って、双方向通信が途絶えてしまう確率を低減できるから、双方向通信が続行される確率を高めることができる。
【００５８】
（２）本実施形態では、自装置（電子キー２）がＡＣＫ信号を送信したにも拘わらず、それが相手装置（セキュリティ装置３）で受信されていないことを裏付ける事実、つまりＡＣＫ信号が相手装置（セキュリティ装置３）で受信されていれば送信されてくる筈のない信号（ＷＡＫＥ信号）を受信したことを根拠として、ＡＣＫ信号の出力レベルを上げるようにしている。従って、ＡＣＫ信号の出力レベルを上げるべき時期を見計らった上でそれを実行しているのであるから、無駄をなくすることができる。
【００５９】
（３）上記（１）及び（２）から、本実施形態によれば、双方向通信が続行される確率を高めるに際して、無駄をなくすることができる。
（４）電子キー２とセキュリティ装置３との間での双方向通信が行われるに際して、ＷＡＫＥ信号及びＡＣＫ信号のやりとりが完了されると、セキュリティ装置３からリクエスト信号が送信されるとともに、それが電子キー２で受信されたとき、同電子キー２からリクエスト信号に対する応答信号であるＩＤコード信号が送信される。このとき、電子キー２は、リクエスト信号を受信する直前に送信したＡＣＫ信号の出力レベルと同じ出力レベルでＩＤコード信号を送信することとしている。ここに、リクエスト信号が送信されてきたということは、ＡＣＫ信号がセキュリティ装置３で受信されたことの証であるから、このＡＣＫ信号の出力レベルと同じ出力レベルでＩＤコード信号を送信すれば、それが仮にノイズの影響を受けようとも、同ＩＤコード信号はセキュリティ装置３で受信される筈である。要は、双方向通信が続行される確率を高めることができる。
【００６０】
尚、リクエスト信号を受信する直前に送信したＡＣＫ信号の出力レベルと同じ出力レベルでなくとも、前記ＡＣＫ信号の出力レベルと同等以上の出力レベルであれば、そのようなＩＤコード信号はセキュリティ装置３で受信される筈である。ここに、本実施形態では、前記ＡＣＫ信号の出力レベルと同等以上の出力レベルのうち、最も低い出力レベルでＩＤコード信号が出力されるから、消費電力を抑制できる。
【００６１】
（５）セキュリティ装置３に依存することなく、電子キー２自身の判断でもってノイズに打ち勝つことができる。
（６）セキュリティ装置３から送信される信号（ＷＡＫＥ信号やリクエスト信号）は、周波数が１３４ＫＨｚであり、電子キー２から送信される信号（ＡＣＫ信号やＩＤコード信号）は、周波数が３００ＭＨｚである。このため、電子キーシステム１が適用されている自動車の外部環境において、３００ＭＨｚに近い周波数帯の電波による無線通信が比較的盛んに行われている今の世の現状を考えると、１３４ＫＨｚのＷＡＫＥ信号やリクエスト信号よりも、３００ＭＨｚのＡＣＫ信号やＩＤコード信号の方がノイズによる影響を受けやすい。こういったことによる不具合を解消する意味で、本実施形態の如くＡＣＫ信号やＩＤコード信号の出力レベルを上げることで双方向通信が円滑に行われるようにすることは非常に有益であると言える。
【００６２】
（７）上記（６）を換言すれば、電子キー２とセキュリティ装置３との間での双方向通信が続行される確率を高めるに際して、特許文献１の如くセキュリティ装置３からの信号（周波数１３４ＫＨｚ）の出力レベルを上げるようにすることと、本実施形態の如く電子キー２からの信号（周波数３００ＭＨｚ）の出力レベルを上げるようにすることとでは、その有効性に差があり、本実施形態の方が今の世の現状に見合っていると言える。さらに言えば、そういった点は特許文献１に記載乃至示唆されておらず、よって本実施形態の思想は、特許文献１に基づいて容易に想到されるものではない。
【００６３】
尚、前記実施形態は、次のように変更して具体化することも可能である。
・電子キー２にあって、２回目のＡＣＫ信号を送信した後、ＷＡＫＥ信号を受信した場合を想定する。この場合、最初のＡＣＫ信号よりも出力レベルの高い２回目のＡＣＫ信号をも打ち負かしてしまうようなノイズが発生していることになるから、これに打ち勝つに事足りる出力レベルのＡＣＫ信号を送信する必要がある。そこで、このような場合に対処するために、２回目のＡＣＫ信号を送信した後、ＷＡＫＥ信号を受信したとき、２回目のＡＣＫ信号の出力レベルよりも高い出力レベルでＡＣＫ信号を送信するような構成を採用してもよい。そうすれば、双方向通信が続行される確率を高めることができる。
【００６４】
例えば、最初のＡＣＫ信号の出力レベル（基準出力レベル）をＬ１、２回目のＡＣＫ信号の出力レベルをＬ２、３回目のＡＣＫ信号の出力レベルをＬ３、・・・・・、Ｎ回目のＡＣＫ信号の出力レベルをＬＮとしたとき、Ｌ１＜Ｌ２＜Ｌ３＜・・・・・＜ＬＮなる大小関係が成り立つようにすればよい。
【００６５】
・基準出力レベルよりも高い出力レベルでＡＣＫ信号を送信する回数の上限を高出力送信上限回数と規定する。そして、電子キー２にあって、前記基準出力レベルよりも高い出力レベルでＡＣＫ信号を送信した回数が前記高出力送信上限回数に達するまでの期間内にＷＡＫＥ信号を受信したとき、前記基準出力レベルよりも高いレベルでＡＣＫ信号を送信する。そして、電子キー２にあって、前記基準出力レベルよりも高い出力レベルでＡＣＫ信号を送信した回数が前記高出力送信上限回数に達した後の段階でＷＡＫＥ信号を受信したとき、前記基準出力レベルでＡＣＫ信号を送信する。こういった構成を採用してもよい。
【００６６】
同構成によると、ＡＣＫ信号がセキュリティ装置３で受信されていないことを裏付ける事実があるからと言って、回数に上限を設けることなく、ＷＡＫＥ信号を受信する度に、出力レベルの高いＡＣＫ信号を送信するとなると、それに必要な消費電力が増大するから、電子キー２は、それを防止するようにしている。即ち、電子キー２は、出力レベルの高いＡＣＫ信号を送信する回数に上限を設けるとともに、その上限に達した後の段階でＷＡＫＥ信号を受信したとき、ＡＣＫ信号の出力レベルを基準出力レベルに戻してその出力レベルでＡＣＫ信号を送信するようにしている。従って、必要以上に多くの回数に亘って高い出力レベルでＡＣＫ信号が送信されることによる電力の浪費を防止できる。
【００６７】
例えば、Ｌ１＜Ｌ２＜Ｌ３の大小関係にある上記別例の出力レベルＬ１〜Ｌ３を援用するとともに、高出力送信上限回数を３回と規定する。この場合、最初のＡＣＫ信号を出力レベルＬ１（基準出力レベル）で送信するとともに、２回目のＡＣＫ信号を出力レベルＬ２で送信し、３回目のＡＣＫ信号を出力レベルＬ３で送信し、４回目のＡＣＫ信号を出力レベルＬ１（基準出力レベル）で送信すればよい。
【００６８】
・最初のＡＣＫ信号を送信してから所定の時間が経過するまでの期間を高出力送信実行期間と規定する。そして、電子キー２にあって、前記高出力送信実行期間内にＷＡＫＥ信号を受信したとき、前記基準出力レベルよりも高いレベルでＡＣＫ信号を送信する。そして、電子キー２にあって、前記高出力送信実行期間が過ぎた段階でＷＡＫＥ信号を受信したとき、前記基準出力レベルでＡＣＫ信号を送信する。こういった構成を採用してもよい。
【００６９】
同構成によると、ＡＣＫ信号がセキュリティ装置３で受信されていないことを裏付ける事実があるからと言って、時間に上限を設けることなく、ＷＡＫＥ信号を受信する度に、出力レベルの高いＡＣＫ信号を送信するとなると、それに必要な消費電力が増大するから、電子キー２は、それを防止するようにしている。即ち、電子キー２は、出力レベルの高いＡＣＫ信号を送信する時間に上限を設けるとともに、その上限に達した後の段階でＷＡＫＥ信号を受信したとき、ＡＣＫ信号の出力レベルを基準出力レベルに戻してその出力レベルでＡＣＫ信号を送信するようにしている。従って、必要以上に長い時間に亘って高い出力レベルでＡＣＫ信号が送信されることによる電力の浪費を防止できる。
【００７０】
・最初のＡＣＫ信号の出力レベル（基準出力レベル）よりも高い出力レベルであって、ＡＣＫ信号を送信するに際して許される最大の出力レベルを許容最大出力レベルと規定する。そして、電子キー２にあって、前記基準出力レベルよりも高い出力レベルであって、前記基準出力レベルと前記許容最大出力レベルとの間に属する出力レベルを低いものから高いものへ順に向かうように段階的に設定する。
【００７１】
そして、電子キー２にあって、最初のＡＣＫ信号を送信した後、ＷＡＫＥ信号を受信したとき、段階的に設定した出力レベルのうち最も低いものを２回目のＡＣＫ信号の出力レベルとして選択してその出力レベルで２回目のＡＣＫ信号を送信する。そして、電子キー２にあって、２回目のＡＣＫ信号を送信した後、ＷＡＫＥ信号を受信する度に、前回のＡＣＫ信号の出力レベルよりも１つ上位の段階のものを選択してその出力レベルで３回目以降のＡＣＫ信号を送信する。そして、電子キー２にあって、ＡＣＫ信号を送信することとＷＡＫＥ信号を受信することとを繰り返した結果、段階的に設定した出力レベルのうち最上位の段階のものを選択してその出力レベルでＡＣＫ信号を送信した後、ＷＡＫＥ信号を受信したとき、前記基準出力レベルでＡＣＫ信号を送信する。こういった構成を採用してもよい。
【００７２】
同構成によると、電子キー２は、最初のＡＣＫ信号を送信した後、ＷＡＫＥ信号を受信したとき、それに対する応答信号として、基準出力レベルよりも高い出力レベルのＡＣＫ信号（２回目のＡＣＫ信号）を送信する。そして、この２回目のＡＣＫ信号を送信した後、ＷＡＫＥ信号を受信したとき、それに対する応答信号として、２回目のＡＣＫ信号の出力レベルよりもさらに高い出力レベルのＡＣＫ信号（３回目のＡＣＫ信号）を送信する。この例のように、いわば段階的にＡＣＫ信号の出力レベルを上げてゆくことで、ノイズレベルに応じた出力レベル、つまりノイズに打ち勝つに事足りるが高過ぎない出力レベルのＡＣＫ信号がやがてセキュリティ装置３で受信されるようになる。
【００７３】
また、段階的に設定した出力レベルのうち最上位の段階の出力レベルでＡＣＫ信号を送信するも、ＷＡＫＥ信号を受信した場合、もはやそれを超える出力レベルでＡＣＫ信号を送信することができず、よってこの場合、ＡＣＫ信号の出力レベルを基準出力レベルに戻してその出力レベルでＡＣＫ信号を送信するようにしている。
【００７４】
従って、必要以上に高い出力レベルでＡＣＫ信号が送信されることによる電力の浪費を防止できる。尚、許容最大出力レベルは、例えば電波法等の法規に依存することとなる。
・最初のＡＣＫ信号の出力レベル（基準出力レベル）よりも高い出力レベルであって、ＡＣＫ信号を送信するに際して許される最大の出力レベルを許容最大出力レベルと規定する。そして、電子キー２にあって、最初のＡＣＫ信号を送信した後、ＷＡＫＥ信号を受信したとき、前記許容最大出力レベルでＡＣＫ信号を送信する。そして、電子キー２にあって、前記許容最大出力レベルでＡＣＫ信号を送信した後、ＷＡＫＥ信号を受信したとき、前記基準出力レベルでＡＣＫ信号を送信する。こういった構成を採用してもよい。
【００７５】
同構成によると、最初のＡＣＫ信号を送信するもＷＡＫＥ信号を受信したということは、ＡＣＫ信号がセキュリティ装置３で受信されていないことに他ならないから、電子キー２は、そのような事実を根拠として、許容最大出力レベルでＡＣＫ信号を送信するようにし、つまりはノイズに打ち勝つに事足りるであろう出力レベルのＡＣＫ信号を早い段階で送信するようにしている。従って、双方向通信が続行される確率が高まる状況をいち早く作り出すことができる。
【００７６】
また、許容最大出力レベルでＡＣＫ信号を送信するも、ＷＡＫＥ信号を受信した場合、もはやそれを超える出力レベルでＡＣＫ信号を送信することができず、よってこの場合、ＡＣＫ信号の出力レベルを基準出力レベルに戻してその出力レベルでＡＣＫ信号を送信するようにしている。従って、無意味とは言わないまでも許容最大出力レベルでＡＣＫ信号が送信され続けられることによる電力の浪費を防止できる。尚、許容最大出力レベルは、例えば電波法等の法規に依存することとなる。
【００７７】
例えば、最初のＡＣＫ信号の出力レベル（基準出力レベル）をＬ１、許容最大出力レベルをＬＭＡＸとしたとき、最初のＡＣＫ信号を出力レベルＬ１（基準出力レベル）で送信するとともに、２回目のＡＣＫ信号を出力レベルＬＭＡＸで送信し、３回目のＡＣＫ信号を出力レベルＬ１（基準出力レベル）で送信すればよい。
【００７８】
・電子キー２にあって、ＷＡＫＥ信号を１回受信する度に、ＡＣＫ信号を１回送信することを前提とするとともに、ＷＡＫＥ信号を受信したとき、同じ出力レベルのＡＣＫ信号を複数回（例えば２回）に亘って送信し、それでもＷＡＫＥ信号を受信したとき、先のＡＣＫ信号の出力レベルよりも高い出力レベルでＡＣＫ信号を送信するような構成を採用してもよい。
【００７９】
例えば、電子キー２にあって、最初のＡＣＫ信号を出力レベルＬ１（基準出力レベル）で送信するとともに、２回目のＡＣＫ信号を出力レベルＬ１（基準出力レベル）で送信し、３回目のＡＣＫ信号を出力レベルＬ１よりも大きな出力レベルＬ２で送信すればよい。このように構成すれば、最初のＡＣＫ信号を妨害するようなノイズが、２回目のＡＣＫ信号の送信時には既に消滅されているような場合を想定したとき、ＡＣＫ信号を送信するのに必要な消費電力を低減できる。
【００８０】
或いは、電子キー２にあって、最初のＡＣＫ信号を出力レベルＬ１（基準出力レベル）で送信するとともに、２回目のＡＣＫ信号を出力レベルＬ１よりも大きな出力レベルＬ２で送信し、３回目のＡＣＫ信号を出力レベルＬ２で送信し、４回目のＡＣＫ信号を出力レベルＬ２よりも大きな出力レベルＬ３で送信すればよい。このように構成すれば、最初のＡＣＫ信号や２回目のＡＣＫ信号を妨害するようなノイズが、３回目のＡＣＫ信号の送信時には既に消滅されているような場合を想定したとき、ＡＣＫ信号を送信するのに必要な消費電力を低減できる。
【００８１】
・前記実施形態では、ＩＤコード信号を送信するに際して、リクエスト信号を受信する直前に送信したＡＣＫ信号の出力レベルと同じ出力レベルでＩＤコード信号を送信する構成を採用したが、前記ＡＣＫ信号の出力レベルと同じ出力レベルでなくとも、前記ＡＣＫ信号の出力レベルと同等以上の出力レベルでＩＤコード信号を送信する構成を採用してもよい。つまり、リクエスト信号を受信する直前に送信したＡＣＫ信号の出力レベルよりも高い出力レベルでＩＤコード信号を送信する構成を採用してもよい。このように構成すると、ＩＤコード信号がセキュリティ装置３で受信される確率を高めることができる。尚、ＩＤコード信号の出力レベルの上限は、例えば電波法等の法規に依存することとなる。
【図面の簡単な説明】
【００８２】
【図１】電子キーシステムが適用されている本実施形態の自動車の構成を示すブロック図。
【図２】車外の所定領域を示す説明図。
【図３】電子キーとセキュリティ装置との間での双方向通信に際して、（ａ）本実施形態の構成を採用しない場合の動作を示すタイムチャート、（ｂ）本実施形態の構成を採用した場合の動作を示すタイムチャート。
【符号の説明】
【００８３】
２…電子キー（通信端末装置）、３…セキュリティ装置（外部通信端末装置）。
【図１】
2008144517.tif 000003
【図２】
2008144517.tif 000004
【図３】
2008144517.tif 000005